(57)【特許請求の範囲】
【請求項１】
端末のアクセス権を設定することが可能な基地局装置であって、
端末のアクセス権を設定するアクセス権設定部と、
端末が該基地局装置にアクセスしてきた場合に、該端末に前記アクセス権設定部でアクセス権が設定されているかどうかの認証を行う認証部と、
送受信用アンテナを介して端末と無線通信を行う無線信号処理部と、
上位装置である無線制御装置から送られる下り信号をフレーム処理する下り信号フレーム処理部と、
前記下り信号フレーム処理部で処理された信号の変調処理や誤り訂正用パリティビットの付加処理などを行う下りベースバンド処理部と、
前記下りベースバンド処理部で処理されたデジタル信号をアナログ信号に変換して前記無線信号処理部へ出力するＤ／Ａ変換器と、
前記送受信用アンテナを介して前記無線信号処理部で受信処理された端末からの信号をデジタル信号に変換するＡ／Ｄ変換器と、
前記Ａ／Ｄ変換器で変換されたデジタル信号に対して復調処理や誤り訂正処理などを行う上りベースバンド処理部と、
前記上りベースバンド処理部で処理された端末からの受信データをフレーム処理する上り信号フレーム処理部と、前記上り信号フレーム処理部から上位装置である前記無線制御装置へ送られる信号を前記認証部の認証結果に応じてオン／オフする上位接続スイッチと、
前記上り信号フレーム処理部で処理されたデータの一部を前記認証部または前記アクセス権設定部に切替えて入力する切替スイッチと、
を備えることを特徴とする基地局装置。
【請求項２】
請求項１に記載の基地局装置であって、
前記切替スイッチが前記アクセス権設定部側に切替えられた場合に、前記アクセス権設定部が前記上り信号フレーム処理部で処理された信号を基にアクセス権を設定することを特徴とする基地局装置。
【請求項３】
請求項１に記載の基地局装置であって、
前記切替スイッチが前記アクセス権設定部側に切替えられた場合に、前記アクセス権設定部は、受信感度を低下もしくは前記受信閾値を高くするために前記上りベースバンド処理部を制御することを特徴とする基地局装置。
【発明の詳細な説明】
【技術分野】
【０００１】
本発明は、移動体通信システムにおけるホームユース用の基地局装置に関する。
【背景技術】
【０００２】
従来、移動体通信システムでは、通常、移動体である携帯電話のネットワークシステムへのアクセス権は、各携帯電話サービスを提供している会社が持つコアネットワーク（Core Network）上に設置されたホーム加入者サーバー（ＨＳＳ：Home Subscriber Server）に保存された加入者情報（ユーザ情報）に基づき、基地局より上位階層のネットワーク認証プロトコルで行われている。このため携帯電話の基地局には、携帯電話のネットワークシステムへのアクセス権を設定する機能は設けられていない。
【０００３】
図５は、現在行われている第３世代携帯電話におけるネットワークのシステム構成を示すブロック図である。
【０００４】
図５において、１１はユーザが使用する携帯電話等の端末（ＵＥ：User Equipment）で、通話等に際しては通信圏内にある基地局（ＢＴＳ：Base Transceiver Station）１２に対して無線によるアクセスを行う。この基地局１２は、伝送回線１３を介して上位装置である無線制御装置（ＲＮＣ：Radio Network Controller）１４に接続される。この無線制御装置１４は、無線レイヤを制御する機能を有し、伝送回線１５を介してコアネットワーク（Core Network）２０に接続される。
【０００５】
上記コアネットワーク２０は、例えば自局ネットワークにおける端末１１に対して接続制御を行う交換機（ＭＳＣ：Mobile Switching Center）２１、端末１１の現在位置を登録する位置登録レジスタ（Visitor Location Resister）２２、各端末の加入者情報を記憶しているホーム加入者サーバー（ＨＳＳ：Home Subscriber Server）２３、他局のネットワークに対して接続制御を行う移動通信制御局（ＧＭＳＣ：Gateway Mobile Switching Center）２４等により構成される。
【０００６】
上記のように構成されたネットワークシステムにおいて、端末１１が基地局１２対してアクセスすると、その端末情報は無線制御装置１４を経由してコアネットワーク２０へ送られる。コアネットワーク２０は、ホーム加入者サーバー２３に記憶保存されている加入者情報とアクセスしてきた端末１１の端末情報との認証処理をネットワーク認証プロトコルにより行い、ユーザが特定されるとユーザ即ち端末１１の位置情報及び加入者情報を位置登録レジスタ２２に登録する。
【０００７】
上記のように従来のネットワークのシステムでは、端末１１のネットワークシステムへのアクセス権は、コアネットワーク２０上に設置されたホーム加入者サーバー２３に保存された加入者情報に基づいて設定されており、基地局１２にはアクセス権の設定機能は与えられていない。
【０００８】
また、本発明に関連する公知技術として、１枚のＩＣカードにて例えばキャッシュカード、クレジットカード、身分証明書、定期券等の複数種類のデータを管理する場合において、ＩＣカード内に秘匿性の高いデータを記憶する分離メモリを設け、該分離メモリへのアクセス権が設定されたリーダ・ライタからのアクセス要求に対して認証処理を行い、正しく認証処理が行われた場合にのみアクセスを許可するようにした技術が知られている（例えば、特許文献１参照。）。
【特許文献１】特開平１０−３４０２３１
【発明の開示】
【発明が解決しようとする課題】
【０００９】
近年においては、システムの加入者宅にホームユースの基地局を設置することが検討されている。このようなホームユースの基地局は、特定の場所の特定ユーザとのアクセスを実現することが目的であり、収容できるユーザ数も少ないことが想定される。このような小規模なホームユースの基地局においては、例えば図６に示すように特定の場所の近傍にいる該当ユーザ以外のアクセスで収容が一杯になってしまい、本来アクセスすべきユーザがアクセスできなくなるという問題も起こり得る。
【００１０】
図６は、小規模なホームユースの基地局に対して、該当ユーザ以外の複数の端末によりアクセスされた場合のイメージを示したものである。図６において、３１はシステム加入者宅で、このシステム加入者宅３１内に小規模なホームユースの基地局３２が設置される。また、１１ａは基地局３２に対して本来アクセスすべき端末であり、１１ｂ、１１ｃ、…は該当ユーザ以外の端末で基地局３２にアクセス可能な場所に位置している。
【００１１】
上記のように基地局３２の近傍に該当ユーザの端末１１ａの他に該当ユーザ以外の端末１１ｂ〜１１ｄが存在した場合、該当ユーザ以外の端末１１ｂ、１１ｃ、…のアクセスで基地局３２の収容が一杯になってしまうと、該当ユーザである端末１１ａが基地局３２へアクセスできなくなる。
【００１２】
従来のネットワークのシステムでは、端末１１のネットワークへのアクセス権は、上記したように基地局１２より上位階層で設定しており、基地局１２（３２）にはアクセス権の設定機能は与えられていない。このため小規模なホームユースの基地局３２では、近傍にいる該当ユーザ以外の他のユーザからのアクセスを遮断することができず、該当ユーザ以外の他のユーザからのアクセスによって、本来アクセスすべきユーザがアクセスできなくなる恐れがある。
【００１３】
本発明は上記の課題を解決するためになされたもので、端末からネットワークへのアクセス権を基地局にて設定でき、該当端末以外の他の端末からのアクセスを遮断して該当端末によるアクセスを可能とするホームユースの基地局装置を提供することを目的とする。
【課題を解決するための手段】
【００１４】
第１の発明に係る基地局装置は、端末のアクセス権を設定することが可能な基地局装置であって、
端末のアクセス権を設定するアクセス権設定部と、
端末が該基地局装置にアクセスしてきた場合に、該端末に前記アクセス権設定部でアクセス権が設定されているかどうかの認証を行う認証部と、
送受信用アンテナを介して端末と無線通信を行う無線信号処理部と、
上位装置である無線制御装置から送られる下り信号をフレーム処理する下り信号フレーム処理部と、
前記下り信号フレーム処理部で処理された信号の変調処理や誤り訂正用パリティビットの付加処理などを行う下りベースバンド処理部と、
前記下りベースバンド処理部で処理されたデジタル信号をアナログ信号に変換して前記無線信号処理部へ出力するＤ／Ａ変換器と、
前記送受信用アンテナを介して前記無線信号処理部で受信処理された端末からの信号をデジタル信号に変換するＡ／Ｄ変換器と、
前記Ａ／Ｄ変換器で変換されたデジタル信号に対して復調処理や誤り訂正処理などを行う上りベースバンド処理部と、
前記上りベースバンド処理部で処理された端末からの受信データをフレーム処理する上り信号フレーム処理部と、前記上り信号フレーム処理部から上位装置である前記無線制御装置へ送られる信号を前記認証部の認証結果に応じてオン／オフする上位接続スイッチと、
前記上り信号フレーム処理部で処理されたデータの一部を前記認証部または前記アクセス権設定部に切替えて入力する切替スイッチとを備えることを特徴とする。
【００１５】
第２の発明は、第１の発明に係る基地局装置であって、前記切替スイッチが前記アクセス権設定部側に切替えられた場合に、前記アクセス権設定部が前記上り信号フレーム処理部で処理された信号を基にアクセス権を設定することを特徴とする。
【００１６】
第３の発明は、前記第１の発明に係る基地局装置であって、前記切替スイッチが前記アクセス権設定部側に切替えられた場合に、前記アクセス権設定部は、受信感度を低下もしくは前記受信閾値を高くするために前記上りベースバンド処理部を制御することを特徴とする。
【発明の効果】
【００１７】
本発明によれば、端末からネットワークへのアクセス権を基地局にて設定でき、該当端末以外の他の端末からのアクセスを遮断して該当端末によるアクセスのみを可能とすることができ、特定のユーザのみ使用可能な小規模なホームユース用基地局として大きな効果を発揮することができる。
【００１８】
また、筐体に設けたボタン又はスイッチがユーザにより操作されることに応じて受信レベルを制御することにより、基地局近傍の端末しか送受信できないような環境を作って該当ユーザのみの登録を可能とし、登録該当者でない端末がアクセスしてきても誤って認証してしまうことを確実に防止することができる。
【発明を実施するための最良の形態】
【００１９】
以下、図面を参照して本発明の一実施形態を説明する。
【００２０】
図１は本発明の一実施形態に係る基地局の構成を示すブロック図である。図１において、４１は基地局に設けられる送受信用アンテナで、無線信号処理部４２に接続される。この無線信号処理部４２は、上記アンテナ４１を介して携帯電話機、即ち端末（ＵＥ：User Equipment）と無線通信を行う。
【００２１】
上記無線信号処理部４２には、下り信号系統５０及び上り信号系統６０が接続される。
【００２２】
下り信号系統５０は、上位装置即ち図５に示した無線制御装置（ＲＮＣ）１４から送られてくる下り信号をフレーム処理するフレーム処理部５１、このフレーム処理部５１で処理された信号の変調処理や誤り訂正用パリティビットの付加処理等を行う下りベースバンド処理部５２、この下りベースバンド処理部５２で処理されたデジタル信号をアナログ信号に変換して無線信号処理部４２へ出力するＤ／Ａ変換器５３により構成される。
【００２３】
一方、上り信号系統６０は、無線信号処理部４２で受信処理された端末からの信号をデジタル信号に変換するＡ／Ｄ変換器６１、このＡ／Ｄ変換器６１で変換されたデジタル信号に対して復調処理や誤り訂正処理等を行う上りベースバンド処理部６２、この上りベースバンド処理部６２で処理された端末からの受信データをフレーム処理するフレーム処理部６３、このフレーム処理部６３から上位装置へ送られる信号を認証結果に応じてオン／オフする上位接続スイッチ６４を備えている。
【００２４】
また、上り信号系統６０には、端末に対する認証を行う認証部６６及び端末のアクセス権を設定するアクセス権設定部６７が設けられると共に、上記フレーム処理部６３で処理されたデータの一部を上記認証部６６又はアクセス権設定部６７に切替えて入力する切替スイッチ６５が設けられる。この切替スイッチ６５は、例えば基地局の筐体に設けた登録用ボタンの操作により切替えられる。上記切替スイッチ６５は、例えば常時は認証部６６側に接続されており、上記登録用ボタンを押下している間だけアクセス権設定部６７側に切替わり、ボタン押下を止めると初期状態、即ち認証部６６側に戻るようになっている。
【００２５】
上記フレーム処理部６３は、受信データを処理する際、その受信データが認証用データであるか、アクセス権設定用データであるか等の判断機能を備えており、認証用データ及びアクセス権設定用データについては切替スイッチ６５を介して認証部６６またはアクセス権設定部６７へ出力する。
【００２６】
上記アクセス権設定部６７は、アクセス権登録時に登録該当者でない端末がアクセスしてきて、誤って認証してしまうことを防ぐために、ユーザがアクセス権登録のために登録用ボタンを押下した際に、上りベースバンド処理部６２を制御して基地局側の受信感度を低下させる、もしくは受信閾値を高くし、基地局近傍の端末しか送受信できないような環境を作り、確実に該当ユーザのみが登録できるようにする。
【００２７】
また、認証部６６は、端末が基地局にアクセスしてきた場合、該当端末にアクセス権があるかどうかを認証処理により識別し、アクセス権がある場合は上位接続スイッチ６４をオンして上位装置との接続を許可し通常のプロトコル処理を行うが、アクセス権が無い場合、上位接続スイッチ６４をオフすると共に下りベースバンド処理部５２及び上りベースバンド処理部６２を制御して上位装置との接続は実行しない。
【００２８】
次に、基地局におけるアクセス権設定（アクセス権登録）の処理を図２に示すフローチャートを参照して説明する。
【００２９】
ユーザは基地局に端末のアクセス権を設定する場合、基地局の筐体に設けられている登録用ボタンを押下する（ステップＡ１）。登録用ボタンが押下されると、切替スイッチ６５が認証部６６からアクセス権設定部６７側に切替えられ、アクセス権の設定モードとなる（ステップＡ２）。このときアクセス権設定部６７は、上りベースバンド処理部６２を制御して基地局側の受信感度を低下させる、もしくは受信レベル閾値を高くし、基地局近傍の端末しか送受信できないような環境を作り、確実に該当ユーザのみが登録できるようにする。
【００３０】
次いでユーザは、上記登録用ボタンを押下したまま端末の電源を投入する（ステップＡ３）。これにより端末情報が基地局に送られる。このとき本基地局に対して上位装置例えば図５に示すコアネットワーク２０の交換機２１やホーム加入者サーバー２３等により、詳細を図４に示すコアネットワークアクセスのプロトコル処理が実行され、ネットワークの認証処理が開始される（ステップＡ４）。上記図４に示すコアネットワークアクセスのプロトコル処理については詳細を後述する。
【００３１】
上記コアネットワークアクセスのプロトコル処理により、コアネットワーク２０上のホーム加入者サーバー２３に保存されている加入者情報とアクセスしてきた端末の情報との認証が実行され、端末の位置が位置登録レジスタ２２に登録されるが、その際、基地局においてもアクセス権の設定処理が行われる。
【００３２】
即ち基地局は、図２のステップＡ５に示すように端末から端末固有コード（ＩＭＳＩ：International Mobile Subscriber Identity）を受信し、上りベースバンド処理部６２にて復調処理や誤り訂正処理を行った後、フレーム処理部６３から切替スイッチ６５を介してアクセス権設定部６７へ出力する。アクセス権設定部６７は、ネットワーク認証が確立したかどうかを判断する（ステップＡ６）。上記ネットワーク認証が確立した場合、アクセス権設定部６７は端末固有コード（ＩＭＳＩ）を認証用メモリ（図示せず）に登録し（ステップＡ７）、ネットワーク認証を終了する（ステップＡ８）。また、上記ステップＡ６でネットワーク認証の確立に失敗したと判断された場合は、端末固有コードの登録を行わずにネットワーク認証を終了する（ステップＡ８）。
【００３３】
上記アクセス権設定時は、該当基地局近傍の電波状態の良いことは当然期待される。アクセス権の設定を行った端末は、上記ネットワーク認証が失敗した場合には圏外となり、ネットワーク認証が成功すれば圏内として画面上に電波レベルが表示されるため、ユーザは自身の端末に表示される電波状態により、ネットワークに接続されたこと、及び基地局へアクセス権を設定できたことを確認することができる。
【００３４】
ユーザは、自身の端末に表示される電波状態によりネットワーク認証が終了したことを確認すると、基地局の筐体に設けられている登録用ボタンの押下を止める（ステップＡ９）。これにより切替スイッチ６５がアクセス権設定部６７から認証部６６に切替えられ、アクセス権設定部６７は上りベースバンド処理部６２の受信感度、もしくは受信レベル閾値を元の状態に戻し（ステップＡ１０）、基地局に対するアクセス権の設定処理を終了する。
【００３５】
また、他のユーザが端末のアクセス権を追加設定する場合においても、同様な手続きを実行する。
【００３６】
次に、上記端末から基地局へのアクセス権の設定を行った後、基地局にてアクス権の認証処理を行う場合について図３に示すフローチャートを参照して説明する。
【００３７】
ユーザは、端末の電源をＯＮした状態で該当基地局のエリアに移動するか、もしくは該当基地局のエリア内において端末の電源をＯＮすると（ステップＢ１）、これにより該当基地局にてネットワーク認証が開始される（ステップＢ２）。
【００３８】
先ず基地局は、端末より端末固有コード（ＩＭＳＩ）を受信し、上りベースバンド処理部６２にて復調処理や誤り訂正処理を行った後、フレーム処理部６３から切替スイッチ６５を介して認証部６６へ出力する。認証部６６は、端末から送られてきた端末固有コード（ＩＭＳＩ）と上記アクセス権の設定時に認証用メモリ（図示せず）に登録された端末固有コード（ＩＭＳＩ）との照合を行う（ステップＢ４）。
【００３９】
上記認証部６６は、ステップＢ４において、端末から送られてきた端末固有コード（ＩＭＳＩ）と認証用メモリに登録された端末固有コード（ＩＭＳＩ）との認証ができた場合、上記上位接続スイッチ６４をＯＮとし、上位装置での位置登録が実施され（ステップＢ５）、ネットワークの認証処理を終了する（ステップＢ６）。また、認証部６６は、上記ステップＢ４で、端末から送られてきた端末固有コード（ＩＭＳＩ）と認証用メモリに登録された端末固有コード（ＩＭＳＩ）との認証ができなかった場合は、該当端末にはアクセス権がないものと判断し、上位接続スイッチ６４をＯＦＦすると共に、下りベースバンド処理部５２及び上りベースバンド処理部６２を制御し、上位階層との接続を実行しない。
【００４０】
なお、システムによっては、端末に対してアクセスを拒否する返信用のチャネルが用意されているので、下りの信号処理で上記返信用のチャネルを利用してアクセス拒否の返信を行うようにしても良い。
【００４１】
また、上記実施形態では、基地局におけるアクセス権の設定及びアクセス権の認証において、端末から送られてくる端末固有コード（ＩＭＳＩ）を用いてネットワークの認証処理を行う場合について説明したが、セキュリティを向上するためにその代替に用いられるＩＤ番号（ＴＭＳＩ：Temporary Mobile Subscriber Identity）を利用してネットワークの認証処理を行っても良い。
【００４２】
次にネットワーク認証プロトコルについて図４を参照して説明する。
【００４３】
端末１１は、コアネットワーク２０にアクセスする際に端末固有コード（ＩＭＳＩ）もしくはセキュリティのためその代替に用いられるＩＤ番号（ＴＭＳＩ）をコアネットワーク２０へ送信し、認証及び位置登録を請求する（ステップＣ１）。この場合、端末１１とコアネットワーク２０との間における情報の伝送は、図５に示したように基地局１２、無線制御装置１４を経由して行われる。
【００４４】
コアネットワーク２０側では、端末１１のＩＤ番号（ＩＭＳＩ／ＴＭＳＩ）に対応する認証用の暗号キーをホーム加入者サーバー２３から取得し、ネットワーク認証のために、ある乱数Ｒを端末１１へ送信する（ステップＣ２）。
【００４５】
端末１１は、内部に搭載されているＵＳＩＭ（Universal Subscriber Identity Module）カードを参照し、認証用の暗号キーを生成して上記乱数Ｒを暗号化し、コアネットワーク２０へ返送する（ステップＣ３）。
【００４６】
コアネットワーク２０は、端末１１へ送った乱数Ｒを上記ホーム加入者サーバー２３から取得した暗号キーで暗号化しておき、端末１１から送信されてきた暗号化された乱数Ｒと照合する。両者が一致すれば認証合格であるのでＯＫを、一致しなければＮＧを端末１１へ通知する（ステップＣ４）。また、コアネットワーク２０は、認証がＯＫの場合には端末１１の位置を位置登録レジスタ２２に登録する。
【００４７】
上記実施形態によれば、基地局に端末のアクセス権を設定する機能及び認証機能を設けることにより、端末からネットワークへのアクセス権を基地局にて設定でき、該当端末以外の他の端末からのアクセスを遮断して該当端末によるアクセスのみを可能とすることができる。従って、特定のユーザのみ使用可能な小規模なホームユース用基地局として大きな効果を発揮することができる。
【００４８】
また、基地局における切替スイッチ６５がアクセス権設定部６７に切替えられた際に、上りベースバンド処理部６２の受信レベルを制御して受信感度を低下させるか、又は受信閾値を高く設定することにより、基地局近傍の端末しか送受信できないような環境を作って該当ユーザのみの登録を可能とし、登録該当者でない端末がアクセスしてきても、誤って認証してしまうことを確実に防止することができる。
【００４９】
尚、図５に示した第３世代携帯電話におけるシステムでは、基地局１２の上位装置である無線制御装置１４がホーム加入者サーバー２３からの暗号キー（認証キー）を受け取って持っている場合がある。このように無線制御装置１４が認証キーを持っている場合で、無線制御装置１４の機能が基地局１２に組み込まれるシステムにおいては、上記暗号キーを基地局１２にアクセス認証用に登録しても良い。
【００５０】
また、上記実施形態では、端末のＩＤ番号（ＩＭＳＩ／ＴＭＳＩ）を用いて基地局に対するアクセス認証を行う場合について説明したが、その他、例えば電話番号のようなユーザ固有のデータを基地局に登録してアクセス認証を行うようにしても良い。また、基地局に登録する固有情報が暗号化されているシステムで、尚且つその暗号がセキュアのために変動するシステムの場合は、そのままでは固有情報ではないため基地局認証に用いることができないが、アクセス権設定部６７及び認証部６６に上位処理が持つ暗号キー解読機能を搭載しておくことで、暗号を解読し固有情報として取り出すことができるので、その固有情報を基地局に登録することにより基地局へのアクセス権設定及び認証を実現することができる。
【００５１】
また、上記実施形態では、アクセス権の設定と認証とを切替える切替スイッチ６５は、基地局の筐体に設けた登録用ボタンを押下している間だけアクセス権設定部６７側に切替わり、ボタン押下を止めると初期状態、即ち認証部６６側に戻るように構成した場合について示したが、その他、例えば登録用ボタンを押す毎に切替スイッチ６５が認証部６６とアクセス権設定部６７に交互に切替わるようにしても良い。また、この場合、アクセス権の設定時に手動操作により切替スイッチ６５をアクセス権設定部６７側に切替え、その後、アクセス権の設定処理を終了した際に、例えば図２のステップＡ８においてネットワーク認証の終了を検知した際に切替スイッチ６５を自動的に認証部６６側に切替えるようにしても良い。
【００５２】
また、上記実施形態では、アクセス権の設定に際し、筐体に設けた登録用ボタンにより切替スイッチ６５を切替操作する場合について示したが、登録用ボタンを設けずに切替スイッチ６５を直接操作して切替えるようにしても良い。
【００５３】
また、上記実施形態では、筐体に設けた登録用ボタンの操作により切替スイッチ６５を認証部６６とアクセス権設定部６７とに切替え接続する場合について示したが、その他、例えば基地局内にアクセス権の設定モードと認証モードを切替えるための内部レジスタを設け、上記基地局に接続したパーソナルコンピュータからの指示により上記内部レジスタの内容を書換えてアクセス権の設定と認証のモードを切替えるようにしても良い。この場合、パーソナルコンピュータに代えて携帯電話からの指示により、上記基地局の内部レジスタの内容を書換えてアクセス権の設定と認証のモードを切替えるようにしても良い。
【００５４】
また、本発明は、上記実施形態そのままに限定されるものではなく、実施段階ではその要旨を逸脱しない範囲で構成要素を変形して具体化できるものである。
【図面の簡単な説明】
【００５５】
【図１】本発明の一実施形態に係る基地局装置の構成を示すブロック図である。
【図２】同実施形態に係る基地局装置におけるアクセス権設定の処理を示すフローチャートである。
【図３】同実施形態に係る基地局装置におけるアクセス権の認証処理を示すフローチャートである。
【図４】同実施形態におけるネットワーク認証プロトコルを示す図である。
【図５】第３世代携帯電話におけるネットワークのシステム構成を示すブロック図である。
【図６】従来のホームユース用基地局に対して複数の端末によりアクセスされた場合のイメージを示す図である。
【符号の説明】
【００５６】
１１…端末（ＵＥ）、１２…基地局（ＢＴＳ）、１３…伝送回線、１４…無線制御装置（ＲＮＣ）、１５…伝送回線、２０…コアネットワーク、２１…交換機（ＭＳＣ）、２２…位置登録レジスタ（ＶＬＲ）、２３…ホーム加入者サーバー（ＨＳＳ）、２４…移動通信制御局（ＧＭＳＣ）、３１…システム加入者宅、３２…基地局（ＢＴＳ）、４１…アンテナ、４２…無線信号処理部、５０…下り信号系統、５１…フレーム処理部、５２…下りベースバンド処理部、５３…Ｄ／Ａ変換器、６０…上り信号系統、６１…Ａ／Ｄ変換器、６２…上りベースバンド処理部、６３…フレーム処理部、６４…上位接続スイッチ、６５…切替スイッチ、６６…認証部、６７…アクセス権設定部。
【図１】
0005138314.tif 000002
【図２】
0005138314.tif 000003
【図３】
0005138314.tif 000004
【図４】
0005138314.tif 000005
【図５】
0005138314.tif 000006
【図６】
0005138314.tif 000007